(57)【要約】【課題】ディスクメディアのデータを消去するための電力消費を低減できるディスクメディアデータ消去装置、方法およびプログラムを得ること。【解決手段】ディスクメディアデータ消去装置１０はディスク状の記録メディアに熱源をスポット状に照射する照射手段１１を備える。照射位置移動手段１２は、照射位置を録メディアの記録面の半径方向の全長をカバーするように線状に移動する。温度検出手段１３は照射位置の温度を検出して移動速度制御手段１４がデータを破壊するように移動速度を制御する。【選択図】図１
2010262706.tif 000002
【特許請求の範囲】
【請求項１】
ディスク状の記録メディアに熱源をスポット状に照射する照射手段と、
この照射手段から照射されるスポット状の熱源の照射位置を、前記記録メディアの記録面の半径方向の全長をカバーするように線状に移動する照射位置移動手段と、
この照射位置移動手段によって熱源の照射位置を移動するときの各照射位置での温度を検出する温度検出手段と、
この温度検出手段によって検出された温度が照射位置での記録層に記録されているデータを破壊する温度となるように照射位置移動手段の移動速度を制御する移動速度制御手段
とを具備することを特徴とするディスクメディアデータ消去装置。
【請求項２】
前記記録メディアから発生する煙を検知する煙検知手段を備え、前記移動速度制御手段は前記煙検知手段が煙を検知したときは前記データを破壊する温度を確保する範囲で照射位置移動手段の移動速度を向上させることで照射位置での温度を低下させることを特徴とする請求項１記載のディスクメディアデータ消去装置。
【請求項３】
前記記録メディアの記録面の色を検出するカラー識別手段と、このカラー識別手段の検出したカラーを基にして前記記録メディアの材質を判別する材質判別手段を備え、前記照射手段は前記材質判別手段によって判別した材質に応じて前記スポット状の熱源の出力レベルを設定し、前記移動速度制御手段は前記判別した材質に応じた移動速度を初期設定することを特徴とする請求項１記載のディスクメディアデータ消去装置。
【請求項４】
前記記録メディアがシャッタ機構付きのカートリッジに収容されているとき、所定のタイミングでシャッタ機構を開状態に保持する開状態保持手段を備え、前記照射位置移動手段は、シャッタ機構を開状態に保持した状態でこれによって開口した領域内で照射位置を移動させることを特徴とする請求項１記載のディスクメディアデータ消去装置。
【請求項５】
前記照射手段等の装置内各部に電源を供給するバッテリを収容する二次電池収容部を具備することを特徴とする請求項１記載のディスクメディアデータ消去装置。
【請求項６】
前記照射位置移動手段による線状の移動は前記記録面の半径方向の全長をカバーする往復方向の移動であることを特徴とする請求項１記載のディスクメディアデータ消去装置。
【請求項７】
前記照射位置移動手段による線状の移動は前記記録面の半径方向の全長をカバーする直線状の移動であることを特徴とする請求項１記載のディスクメディアデータ消去装置。
【請求項８】
ディスク状の記録メディアに熱源をスポット状に照射する照射ステップと、
この照射ステップで照射されるスポット状の熱源の照射位置を、前記記録メディアの記録面の半径方向の全長をカバーするように線状に移動する照射位置移動ステップと、
この照射位置移動ステップによって熱源の照射位置を移動するときの各照射位置での温度を検出する温度検出ステップと、
この温度検出ステップによって検出された温度が照射位置での記録層に記録されているデータを破壊する温度となるように前記照射位置移動ステップにおける移動速度を制御する移動速度制御ステップ
とを具備することを特徴とするディスクメディアデータ消去方法。
【請求項９】
前記記録メディアの記録面の色を検出するカラー識別ステップと、このカラー識別ステップで検出したカラーを基にして前記記録メディアの材質を判別する材質判別ステップとを備え、前記照射ステップでは前記材質判別ステップによって判別した材質に応じて前記スポット状の熱源の出力レベルを設定し、前記移動速度制御ステップでは前記判別した材質に応じた移動速度を初期設定することを特徴とする請求項７記載のディスクメディアデータ消去方法。
【請求項１０】
コンピュータに、
ディスク状の記録メディアに熱源をスポット状に照射する照射処理と、
この照射処理で照射されるスポット状の熱源の照射位置を、前記記録メディアの記録面の半径方向の全長をカバーするように線状に移動する照射位置移動処理と、
この照射位置移動処理によって熱源の照射位置を移動するときの各照射位置での温度を検出する温度検出処理と、
この温度検出処理によって検出された温度が照射位置での記録層に記録されているデータを破壊する温度となるように前記照射位置移動処理における移動速度を制御する移動速度制御処理
とを実行させることを特徴とするディスクメディアデータ消去プログラム。
【請求項１１】
前記コンピュータは、前記記録メディアの記録面の色を検出するカラー識別処理と、このカラー識別処理で検出したカラーを基にして前記記録メディアの材質を判別する材質判別処理とを更に実行し、前記照射処理では前記材質判別処理によって判別した材質に応じて前記スポット状の熱源の出力レベルを設定し、前記移動速度制御処理では前記判別した材質に応じた移動速度を初期設定する処理を実行することを特徴とする請求項９記載のディスクメディアデータ消去プログラム。
【発明の詳細な説明】
【技術分野】
【０００１】
本発明は、ディスクメディアが不要になったときそのデータを消去するディスクメディアデータ消去装置、ディスクメディアデータ消去方法およびディスクメディアデータ消去プログラムに関する。
【背景技術】
【０００２】
各種のディスク型のメディア（記録媒体）としてのディスクメディアがデータの記憶のために使用されている。一例を挙げると、磁気ディスク、光ディスク、光磁気ディスク、静電容量ディスクといったメディアが記憶装置として使用されている。このようなディスクメディアは、使用を中止した場合のような何らかの理由で廃棄処分とする場合がある。廃棄に際しては、他の記録メディアと同様に、すでに記録されているデータが再現できない状態にしないと、セキュリティの観点から好ましくない結果が生じる危険性がある。
【０００３】
そこで、廃棄する対象となるディスクメディアの記録面をカッタ等の工具や裁断機等の装置で傷付けたり切断したりして、データの再生ができないようにすることが本発明の第１の関連技術として広く行われている。
【０００４】
ところが、この第１の関連技術でディスクメディアの表面をカッタ等の工具で傷付けても、その傷が印刷ラベル層やその下の保護膜層までしか到達しない場合があり、記録層のデータが破壊されずに存在する場合がある。このような場合には、ディスクメディアの表面のこれらの層に存在する傷を研磨で取り除くことでデータの再現が可能になる。また、記録層を切断した場合には、切断面を繋ぎ合わせることで、データを読み取ることができる場合があるという問題があった。更に、ディスクメディアの１つ１つに傷を付けたり、裁断処理を行うことは面倒であり、多くのディスクメディアを処理するには時間も掛かるという問題があった。
【０００５】
また、本発明の第２の関連技術として、ディスクメディアの管理領域ならびにデータ格納領域に対して本来無効なデータを上書きすることも広く行われている。これにより、光ディスクメディア自体が認識不可な状態となったり、漏洩したりするおそれのあるデータが消去されることになる。
【０００６】
しかしながら、この第２の関連技術を用いた場合には、データの上書き操作が行われるので、データを消去したメディア自体の形状が変化しない。このため、ユーザはデータが消去されたかをディスクメディアの形状の変化から判別することができない。そこで、ディスクメディアの一部にデータが書き込まれていたような場合には、データの上書き操作が全面に対して行われるので、これによる記録層の色の変化で見るしかない。しかしながら、記録層の材質によっては色の変化が乏しく、このような場合にはディスクメディアのデータが消去済みかどうかの判断がつかないという問題があった。
【０００７】
そこで、光ディスクメディア内の記録層を加熱して、変形させることが本発明の第３の関連技術として提案されている（たとえば特許文献１参照）。この第３の関連技術では、光ディスクメディアを回転させながら、照射面の温度があらかじめ設定した設定温度となるようにして記録層を構成する面を少しずつ隙間なく塗り潰すように加熱制御する。光ディスクメディアの回転は、メディアが１回転するまで繰り返してメディアの全面を加熱変形させてもよい。また、光ディスクメディアを所定の角度範囲だけ回転させて、その角度範囲内の全領域を扇形型の形状に加熱変形させてもよい。
【０００８】
このように、この第３の関連技術によると、光ディスクメディア内の記録層の少なくとも一部の領域内を一様に加熱して変形させる。したがって、ディスクメディアの消去が行われたかどうかをメディアの外観の変形の有無で簡単に判別することができる。
【先行技術文献】
【特許文献】
【０００９】
【特許文献１】特開２００８−２４３２４２号公報（第００１７段落〜第００１９段落、第００９段落〜第００９５段落、図４〜図６）
【発明の概要】
【発明が解決しようとする課題】
【００１０】
この第３の関連技術では、光ディスクメディアのかなりの領域が連続的に加熱される領域となる。このため、光ディスクメディアに対する加熱制御を行うときには、ハロゲンやキセノン等の光源を光ビームで記録層に長時間照射することになって、電力消費量が大きくなる。したがって、第３の関連技術ではディスクメディアデータ消去装置が電源として商用電源を使用することになっていた。この結果、ディスクメディアデータ消去装置は商用電源が存在しない場所で作動させることができないという問題があった。
【００１１】
また、第３の関連技術では、商用電源が備わった客先でディスクメディアデータ消去装置を使用する場合に、作業を行う場所の近くのコンセントから電源を借用する必要があった。このため、ディスクメディアデータ消去装置を使用した結果として客先の施設の電力消費が一時的に増大し、ブレーカが落ちるようなことがあった。この場合には、その客先で電源を共用するすべての者に多大な迷惑を掛けることになった。
【００１２】
更にこの第３の関連技術では、記録面を保護するシャッタ機構を備えたカートリッジ入りのディスクメディアについては、ディスクメディアデータ消去装置で消去することができないという問題があった。これは、シャッタ機構のシャッタが閉じたままでは光ビームを記録層に照射することができないためである。もちろん、シャッタを人為的に開いた状態でテープでこの状態を保持すれば、この開いた部分の記録層に光ビームを照射することができる。しかしながら、この場合にはシャッタを開いた状態にする時間と手間を必要とする。また、開口部に光ビームを照射してディスクメディアの照射面を変形させると、ディスクメディアがカートリッジに収容されているために変形した箇所がカートリッジ内で引っ掛かって消去作業時にメディアが回転できないという問題も発生した。これにより、第３の関連技術のディスクメディアデータ消去装置ではシャッタ機構を備えたカートリッジ入りのディスクメディアを実質的に使用することができないという問題があった。
【００１３】
そこで本発明の目的は、ディスクメディアのデータを消去するための電力消費を低減することのできるディスクメディアデータ消去装置、ディスクメディアデータ消去方法およびディスクメディアデータ消去プログラムを提供することにある。
【課題を解決するための手段】
【００１４】
本発明では、（イ）ディスク状の記録メディアに熱源をスポット状に照射する照射手段と、（ロ）この照射手段から照射されるスポット状の熱源の照射位置を、前記した記録メディアの記録面の半径方向の全長をカバーするように線状に移動する照射位置移動手段と、（ハ）この照射位置移動手段によって熱源の照射位置を移動するときの各照射位置での温度を検出する温度検出手段と、（ニ）この温度検出手段によって検出された温度が照射位置での記録層に記録されているデータを破壊する温度となるように照射位置移動手段の移動速度を制御する移動速度制御手段とをディスクメディアデータ消去装置が具備する。
【００１５】
また、本発明では、（イ）ディスク状の記録メディアに熱源をスポット状に照射する照射ステップと、（ロ）この照射ステップで照射されるスポット状の熱源の照射位置を、前記した記録メディアの記録面の半径方向の全長をカバーするように線状に移動する照射位置移動ステップと、（ハ）この照射位置移動ステップによって熱源の照射位置を移動するときの各照射位置での温度を検出する温度検出ステップと、（ニ）この温度検出ステップによって検出された温度が照射位置での記録層に記録されているデータを破壊する温度となるように前記した照射位置移動ステップにおける移動速度を制御する移動速度制御ステップとをディスクメディアデータ消去方法が具備する。
【００１６】
更に本発明では、コンピュータに、ディスクメディアデータ消去プログラムとして、（イ）ディスク状の記録メディアに熱源をスポット状に照射する照射処理と、（ロ）この照射処理で照射されるスポット状の熱源の照射位置を、前記した記録メディアの記録面の半径方向の全長をカバーするように線状に移動する照射位置移動処理と、（ハ）この照射位置移動処理によって熱源の照射位置を移動するときの各照射位置での温度を検出する温度検出処理と、（ニ）この温度検出処理によって検出された温度が照射位置での記録層に記録されているデータを破壊する温度となるように前記した照射位置移動処理における移動速度を制御する移動速度制御処理とを実行させることを特徴としている。
【発明の効果】
【００１７】
以上説明したように本発明によれば、ディスクメディアの記録面の半径方向の全長をカバーするように、スポット状の熱源の照射位置を線状に移動する。これにより、比較的広い領域を大電力で加熱していた手法と異なり、データの破壊に要する電力消費を低減することができるだけでなく、消去に要する時間を短縮することができる。また、熱源の移動速度を制御するので、データの消去の品質を高めることができる。
【図面の簡単な説明】
【００１８】
【図１】本発明のディスクメディアデータ消去装置のクレーム対応図である。
【図２】本発明のディスクメディアデータ消去方法のクレーム対応図である。
【図３】本発明のディスクメディアデータ消去プログラムのクレーム対応図である。
【図４】本発明の実施の形態によるディスクメディアデータ消去装置の外観の概要を示す斜視図である。
【図５】本実施の形態におけるディスクメディアデータ消去装置内の主要部品の空間的な配置構造を示した説明図である。
【図６】本実施の形態におけるディスクメディアデータ消去装置の装置本体上部を示す平面図である。
【図７】本実施の形態におけるディスクメディアデータ消去装置の回路構成の概要を表わしたブロック図である。
【図８】本実施の形態で装置に３．５型カートリッジをセットした状態を表わした平面図である。
【図９】本実施の形態で装置に５．２５型カートリッジをセットする状態を表わした平面図である。
【図１０】本実施の形態で装置にＰＤ・ＤＶＤ−ＲＡＭカートリッジをセットする状態を表わした平面図である。
【図１１】本実施の形態で動作モードの表示処理の様子を表わした流れ図である。
【図１２】本実施の形態でディスクメディアのデータ消去のための処理の様子を表わした流れ図である。
【図１３】本実施の形態における動作モードデータベースの内容の一例を表わした説明図である。
【図１４】本実施の形態でディスクメディアが光ディスクの場合のデータの消去の際の光ビームの軌跡を表わした平面図である。
【図１５】本実施の形態でディスクメディアがＣＤ−ＲＯＭメディアである場合のデータの消去の際の光ビームの軌跡を表わした説明図である。
【発明を実施するための形態】
【００１９】
図１は、本発明のディスクメディアデータ消去装置のクレーム対応図を示したものである。本発明のディスクメディアデータ消去装置１０は、照射手段１１と、照射位置移動手段１２と、温度検出手段１３と、移動速度制御手段１４とを備えている。ここで、照射手段１１は、ディスク状の記録メディアに熱源をスポット状に照射する。照射位置移動手段１２は、照射手段１１から照射されるスポット状の熱源の照射位置を、前記した記録メディアの記録面の半径方向の全長をカバーするように線状に移動する。温度検出手段１３は、照射位置移動手段１２によって熱源の照射位置を移動するときの各照射位置での温度を検出する。移動速度制御手段１４は、温度検出手段１３によって検出された温度が照射位置での記録層に記録されているデータを破壊する温度となるように照射位置移動手段１２の移動速度を制御する。
【００２０】
図２は、本発明のディスクメディアデータ消去方法のクレーム対応図を示したものである。本発明のディスクメディアデータ消去方法２０は、照射ステップ２１と、照射位置移動ステップ２２と、温度検出ステップ２３と、移動速度制御ステップ２４とを備えている。ここで、照射ステップ２１では、ディスク状の記録メディアに熱源をスポット状に照射する。照射位置移動ステップ２２では、照射ステップ２１で照射されるスポット状の熱源の照射位置を、前記した記録メディアの記録面の半径方向の全長をカバーするように線状に移動する。温度検出ステップ２３では、照射位置移動ステップ２２によって熱源の照射位置を移動するときの各照射位置での温度を検出する。移動速度制御ステップ２４では、温度検出ステップ２３によって検出された温度が照射位置での記録層に記録されているデータを破壊する温度となるように前記した照射位置移動ステップ２２における移動速度を制御する。
【００２１】
図３は、本発明のディスクメディアデータ消去プログラムのクレーム対応図を示したものである。本発明のディスクメディアデータ消去プログラム３０は、コンピュータに、照射処理３１と、照射位置移動処理３２と、温度検出処理３３と、移動速度制御処理３４とを実行させるようにしている。ここで、照射処理３１では、ディスク状の記録メディアに熱源をスポット状に照射する。照射位置移動処理３２では、照射処理３１で照射されるスポット状の熱源の照射位置を、前記した記録メディアの記録面の半径方向の全長をカバーするように線状に移動する。温度検出処理３３では、照射位置移動処理３２によって熱源の照射位置を移動するときの各照射位置での温度を検出する。移動速度制御処理３４では、温度検出処理３３によって検出された温度が照射位置での記録層に記録されているデータを破壊する温度となるように前記した照射位置移動処理３２における移動速度を制御する。
【００２２】
＜発明の第１の実施の形態＞
【００２３】
次に本発明の第１の実施の形態を説明する。
【００２４】
図４は、本発明の実施の形態によるディスクメディアデータ消去装置の外観の概要を表わしたものである。このディスクメディアデータ消去装置１００は、装置本体１０１の上面に開閉自在の蓋１０２が配置されている。また装置本体１０１の上面の手前側には操作部１０３が配置されている。蓋１０２は、装置本体１０１の右側部１０１Ａに設けられた開閉用窪み１０４に指を差し込んで持ち上げることで、後端部側の図示しない回転軸を中心として、矢印１０５方向に開くことができる。
【００２５】
操作部１０３の左端部近傍には長穴１０６が開けられており、ここからピン状の飛び出しスイッチ１０７が突出している。ユーザは、飛び出しスイッチ１０７を装置本体１０１の手前側に移動させることで、この図４には示していない５．２５型用シャッタアームを蓋１０２の下の空間領域に飛び出させることができる。
【００２６】
操作部１０３における飛び出しスイッチ１０７よりも右側の領域には、液晶ディスプレイからなる動作モード表示部１０８とスタートスイッチ１０９および動作モード選択スイッチ１１０が配置されている。動作モード表示部１０８は、動作モード等の所定の情報を表示するディスプレイである。動作モード表示部１０８には、たとえば７セグメントＬＥＤ（Light Emitting Diode）や液晶ディスプレイあるいは有機ＥＬ（Organic Electro-Luminescence）を使用することができる。
【００２７】
スタートスイッチ１０９は蓋１０２の下の収納部にセットした図示しないディスクメディアのデータを消去する際にその開始を指示するスイッチである。動作モード選択スイッチ１１０は、ユーザが動作モードを選択するためのスイッチである。
【００２８】
図５は、このディスクメディアデータ消去装置内の主要部品の空間的な配置構造を示したものである。ディスクメディアデータ消去装置１００の装置本体１０１を構成する上部は、図４に示した蓋１０２と共にディスクメディア収容部１１１を構成している。このディスクメディア収容部１１１には、前記した消去の対象となるディスクメディアをセットするようになっている。ディスクメディア収容部１１１の下には、このディスクメディアデータ消去装置１００の電源となるバッテリ１１２や、所定の範囲で水平方向に自在に移動自在となった搬送機構部１１３が配置されている。バッテリ１１２はニッケル水素バッテリまたはリチウムイオンバッテリ等の二次電池であり、装置本体１０１内に配置された各モジュールへ電源を供給する際に使用される。搬送機構部１１３には、台車であり、ディスクメディアにスポット状の光ビームを照射する光ビーム照射部１１４と、ディスクメディアの色を判別するカラーセンサ１１５および光ビームの照射位置の温度を測定するメディア温度センサ１１６が載置されている。
【００２９】
光ビーム照射部１１４は、図示しないハロゲンランプを光源として用い、これを図示しない回転楕円曲面反射鏡等の光学部品を用いて光学的に収束させてスポット状とし、ディスクメディアのデータ格納領域の記録層を熱で破壊する。このとき、ディスクメディアが加熱によってその形状が変形するので、消去済みか否かの判断を外観から容易に行うことができる。しかも後に説明するようにデータ格納領域の記録層に対しては加熱の行われる部位を直線状あるいは往復運動をするように移動させる。したがって、領域内を一様に加熱する場合と比べると処理が高速に行われて電力消費も少なくなり、バッテリ１１２による駆動が可能になる。カラーセンサ１１５はディスクメディアの材質を色によって識別する。メディア温度センサ１１６は、たとえば最大で６００℃程度の温度まで測定可能なセンサであり、ディスクメディアの加熱部位の温度を測定する。
【００３０】
装置本体１０１の底部には、搬送機構部１１３の現在の位置を判別する位置センサ１１８と、装置本体１０１内に煙が発生しているかを検知するための煙検知センサ１１９がそれぞれ配置されている。位置センサ１１８は、搬送機構部１１３の現在位置ならびにディスクメディアの最内周位置ならびに最外周位置を判別するためのフォトセンサまたはマイクロスイッチ（図示せず）によって構成されている。
【００３１】
また、装置本体１０１の所定位置には、ディスクメディアデータ消去装置１００の全体の制御を行う制御部１２１が配置されている。制御部１２１には、図示しないがＣＰＵ（Central Processing Unit）が備えられている。ＣＰＵは、同じく制御部１２１内に配置されたＲＡＭ（Random Access Memory）等の記録媒体に格納された制御プログラムを実行することで各種の制御を可能にしている。
【００３２】
図６は、ディスクメディアデータ消去装置の装置本体上部を示している。図示を簡略化するために図４に示した蓋１０１は示していない。なお、蓋１０１は、実際にはこの図の奥側で、図示しない支軸を中心にして、更に奥側に開いた状態で配置されている。
【００３３】
図４に示した蓋１０１が開けられた場所（ディスクメディア収容部１１１（図５））には、各種のディスクメディアのいずれかをデータの消去に際してセットするための溝が設けられている。まず、最も大きい四角形の溝が５．２５型（１２０ｍｍ）ＭＯ（Magneto-Optical disk）をセットする５．２５型ＭＯ用溝１３１である。その内側には、同じく四角形をしたＰＤ（Phase change rewritable Disk）・ＤＶＤ−ＲＡＭ（Digital Versatile Disk Random Access Memory）用溝１３２が形成されている。このＰＤ・ＤＶＤ−ＲＡＭ用溝１３２にほぼ内接する円形が５．２５型用溝１３３である。５．２５型用溝１３３は、カートリッジに収容されていない音楽ＣＤ（Compact Disc）、ＣＤ−ＲＯＭ（Read Only Memory）、ＤＶＤ等のメディアをセットするためのものである。ＰＤ・ＤＶＤ−ＲＡＭ用溝１３２よりも一回り小さいサイズの四角形をした溝は、３．５型（９０ｍｍ）用溝１３４である。もちろん、ＢＤ−Ｒ（Blu-ray Disc Recordable）、ＢＤ−ＲＥ（Blu-ray Disc Rewritable）等の他のディスクメディアについても、それらのサイズに応じて、各溝１３１〜１３４のいずれかを使用してディスクメディアデータ消去装置１００にセットすることができる。
【００３４】
操作部１０３の配置された部位のすぐ下には、図示しないが空間領域が配置されており、この部分がシャッタアーム格納部１３５を形成している。このシャッタアーム格納部１３５には、図で飛び出した状態で示した５．２５型用シャッタアーム１３６が、その使用されない状態で格納されている。飛び出しスイッチ１０７は、このシャッタアーム格納部１３５に格納された５．２５型用シャッタアーム１３６を必要時に図示の位置に飛び出させるためのスイッチである。５．２５型用シャッタアーム１３６は、スタートスイッチ１０９のほぼ下の位置を支軸として回転できるようになっている。このため、５．２５型用シャッタアーム１３６を使用しないとき、ユーザはその先端の「く」の字型に曲がった部分を反時計方向に回転させてシャッタアーム格納部１３５に押し込んでラッチさせることになる。また、５．２５型用シャッタアーム１３６の使用時には飛び出しスイッチ１０７を手動で移動させることで、このラッチを解除して、図示しないバネ機構の作用で図６に示した位置に移動させる。
【００３５】
５．２５型ＭＯ用溝１２１よりも一段低い３．５型用溝１３４で囲まれた内部領域には、３．５型シャッタ開閉用ピン１４１が突出している。この３．５型シャッタ開閉用ピン１４１は、ほぼ「く」の字型をした案内溝１４２に沿って移動できるようになっている。
【００３６】
円形の５．２５型用溝１３３のほぼ中心位置から図で手前側の位置には、長方形をした第１の開口部１４３が装置本体内部に向けて開口している。この第１の開口部１４３は、図５に示した光ビーム照射部１１４から図示しないディスクメディアにスポット状の光ビームを照射したり、カラーセンサ１１５およびメディア温度センサ１１６がそれぞれの検知を行うために設けられている。この第１の開口部１４３よりも奥側には、第２の開口部１４４が同様に装置本体内部に向けて開口している。この第２の開口部１４４は、その半円形をした部分にユーザが指を差し込んで消去済みのディスクメディアを装置本体１０１から取り出すために用いる。
【００３７】
図７は、ディスクメディアデータ消去装置の回路構成の概要を表わしたものである。図４〜図６と共に説明する。
【００３８】
ディスクメディアデータ消去装置１００は、ＣＰＵ（Central Processing Unit）１５１と、これに接続されたメモリ部１５２を備えている。メモリ部１５２は、ＣＰＵ１５１が実行する制御プログラムを格納したＲＯＭ等の不揮発性メモリと、ＲＡＭ（Random Access Memory）からなる作業用のメモリ領域を備えており、図５に示した制御部１２１を構成している。メモリ部１５２には、各ディスクメディアごとの動作パラメータ等のディスクメディアデータ消去装置１００の制御に必要なデータも格納されている。
【００３９】
制御部１２１は、次に説明するようにディスクメディアデータ消去装置１００を構成する各部の制御を行うようになっている。このうち、ディスクメディア収容部１１１、バッテリ１１２、搬送機構部１１３、光ビーム照射部１１４、カラーセンサ１１５、メディア温度センサ１１６、位置センサ１１８および煙検知センサ１１９については、すでに図５と共に説明したので、適宜説明を省略する。
【００４０】
光ビーム出力制御部１５４は、図６に示したディスクメディア収容部１１１にセットされている図示しないディスクメディアに対する光ビーム照射部１１４の出力を制御するようになっている。光ビームの出力を制御する情報を得るため、光ビーム出力制御部１５４はカラーセンサ１１５およびメディア温度センサ１１６と接続されている。すなわち、カラーセンサ１１５は検知した色によってディスクメディアの種類を判別し、メディア温度センサ１１６を用いて適切な加熱制御を行う。これにより、ディスクメディアは、その種類が判別されれば、自動的に一定の照射レベルでの記録層破壊が可能になる。
【００４１】
搬送機構制御部１４５は搬送機構部１１３を駆動してその位置の移動制御を行うようになっている。このため、搬送機構制御部１４５は搬送機構部１１３の位置を検知する位置センサ１１８と、装置本体１０１内の煙の発生を検知する煙検知センサ１１９の出力を用いて位置の制御と移動速度の制御を行う。
【００４２】
スタートスイッチ１０９および動作モード選択スイッチ１１０の押下情報は制御部１２１に伝達される。制御部１２１は動作モードデータベース１５５と接続されており、スタートスイッチ１０９あるいは動作モード選択スイッチ１１０の押下に基づいて予め定められた処理を行う。この様子は、動作モード表示部１０８に表示される。動作モードデータベース１５５には、動作モード（光ディスクメディアの色ならびにメディア種別）と各動作モードに必要なパラメータが関連付けしたデータが格納されている。動作モードに必要なパラメータとは、たとえば、光ビームスポット出力、光ビーム駆動部動作速度、ディスクメディア消去箇所の温度のようなものである。
【００４３】
蓋検知センサ１５６は、蓋１０２の開閉を検知するセンサである。これは蓋１０２が開いた状態で光ビーム照射部１１４から光ビームが外部に照射されることを防止するためのセンサである。電源スイッチ１５８は図４に示した装置本体１０１の図示しない左側部に配置されている。この電源スイッチ１５８はバッテリ１１２に接続されており、ディスクメディアデータ消去装置１００の回路全体に電源を供給するか否かを制御する。
【００４４】
図８〜図１０は、図６に示したディスクメディア収容部に各種のディスクメディアをセットした状態を示したものである。これらの図の一部では、図４に示した蓋１０１の図示を省略する。
【００４５】
このうち、図８は３．５型用溝１３４に３．５型カートリッジ１６１をセットした状態を表わしている。このようなセットを行う手順を説明する。まず、ユーザは、３．５型カートリッジ１６１のシャッタ機構１６２の配置された側の端部を、装置本体１０１の奥側から３．５型用溝１３４に沿って矢印１６３方向に移動させる。
【００４６】
すると、図６に示した３．５型シャッタ開閉用ピン１４１が３．５型カートリッジ１６１のシャッタ機構１６２とカートリッジ本体１６４の間に入る。この状態で、ユーザが３．５型カートリッジ１６１を矢印１６３方向に更に移動させていくと、図６に示した案内溝１４２に沿って３．５型シャッタ開閉用ピン１４１が矢印１６３方向に移動する。案内溝１４２は、図６に示すように奥側から手前側にかけて次第に図の右方向に傾斜している。したがって、ユーザが３．５型カートリッジ１６１を手前側に移動させていくと、３．５型シャッタ開閉用ピン１４１が図の右方向に移動し、シャッタ機構１６２を開いていくことになる。この結果、矩形をした３．５型用溝１３４に３．５型カートリッジ１６１を完全にセットし終えた状態では、図８に示すようにシャッタ機構１６２が全開の状態となる。これにより、第１の開口部１４３に円形のディスクメディア１６５が露出した状態となる。
【００４７】
図９は、５．２５型ＭＯ用溝に５．２５型カートリッジ１７１をセットする状態を表わしたものである。この場合、ユーザは５．２５型ＭＯ等の５．２５型カートリッジ１７１におけるシャッタ機構１７２の配置された側の端部を、装置本体１０１の奥側から５．２５型ＭＯ用溝１３１に沿って矢印１６３方向に移動させる。５．２５型カートリッジ１７１が５．２５型用シャッタアーム１３６にまだ接触していない状態では、図６に示したように５．２５型用シャッタアーム１３６は完全に飛び出した状態となっている。
【００４８】
５．２５型カートリッジ１７１が矢印１６３方向に移動していくと、５．２５型用シャッタアーム１３６が５．２５型カートリッジ１７１のシャッタ機構１７２の図示しない所定部位と接触する。この状態で、ユーザが５．２５型カートリッジ１７１を矢印１６３方向に更に移動させていくと、５．２５型用シャッタアーム１３６はシャッタアーム格納部１３５の方向に押し戻されることになり、その支点を中心に反時計方向に回転する。これと共に５．２５型用シャッタアーム１３６の折れ曲がった形状の先端部は、図の左方向に移動することになり、シャッタ機構１７２を開いていくことになる。この結果、矩形をした５．２５型ＭＯ用溝１３１に５．２５型カートリッジ１７１を完全にセットし終えた状態では、シャッタ機構１７２が全開の状態となる。図９では、シャッタ機構１７２が全開するよりもわずかに手前の状態を表わしており、第１の開口部１４３に円形のディスクメディア１７５が露出している。
【００４９】
図１０は、ＰＤ・ＤＶＤ−ＲＡＭ用溝１３２にＰＤ・ＤＶＤ−ＲＡＭカートリッジ１８１をセットする状態を表わしたものである。この場合、ユーザはＰＤ・ＤＶＤ−ＲＡＭカートリッジ１８１におけるシャッタ機構１８２の配置された側の端部を、図示しない蓋の配置された装置本体１０１の奥側からＰＤ・ＤＶＤ−ＲＡＭ用溝１３２に沿って矢印１６３方向に移動させる。このとき、５．２５型用シャッタアーム１３６は図６に示したように飛び出させておく。
【００５０】
すると、５．２５型用シャッタアーム１３６がＰＤ・ＤＶＤ−ＲＡＭカートリッジ１８１のシャッタ機構１８２の特定部位１８３と接触する。この状態で、ユーザがＰＤ・ＤＶＤ−ＲＡＭカートリッジ１８１を矢印１６３方向に更に移動させていくと、５．２５型用シャッタアーム１３６はシャッタアーム格納部１３５の方向に押し戻されることになり、その支点を中心に反時計方向に回転する。これと共に５．２５型用シャッタアーム１３６の折れ曲がった形状の先端部は、図の左方向に移動することになり、シャッタ機構１８２を開いていくことになる。この結果、矩形をしたＰＤ・ＤＶＤ−ＲＡＭ用溝１３２にＰＤ・ＤＶＤ−ＲＡＭカートリッジ１８１を完全にセットし終えた状態では、シャッタ機構１８２が全開の状態となる。これにより、第１の開口部１４３に円形のディスクメディア１８５が規定量露出した状態となる。図１０では、シャッタ機構１８２が全開するよりも手前の時点を表わしており、ディスクメディア１８５が前記した規定量の半分程度開いた状態となっている。
【００５１】
以上は、カートリッジに収容されたディスクメディアについての説明である。カートリッジに収容されていないディスクメディアは、シャッタ機構そのものが存在しない。したがって、たとえば図６に示す５．２５型用溝１３３に合わせて図示しない円板状のディスクメディアをセットすればよい。このとき、半径が５．２５型よりも小さな円板状のディスクメディアの場合にも、５．２５型用溝１３３の中心に相当する位置にその中心が位置するように位置決めする。
【００５２】
図１１は、ユーザが動作モード選択スイッチを操作したときの動作モードの表示処理の様子を表わしたものである。図７と共に説明する。
【００５３】
ユーザが電源スイッチ１５８をオンにすると、制御部１２１が動作を開始して、メモリ部１５２に格納された制御プログラムをＣＰＵ１２１が実行する。メモリ部１５２には、ユーザが前回選択した動作モードの履歴を記憶したメモリ領域が設けられており、この動作モードが読み出されて動作モード表示部１０８に表示される（ステップＳ２０１）。工場出荷時には、３．５型モードと５．２５型モードのうちで、一例として３．５型モードが動作モードの履歴としてプリセットされている。このため、初回起動時には、動作モード表示部１０８に３．５型モードの表示が行われる。
【００５４】
ユーザは動作モード表示部１０８に表示された動作モードが適切であれば、動作モード選択スイッチ１１０を押下することなく（ステップＳ２０２：Ｎ）、動作モードの選択動作を終了する。この例の場合、ディスクメディアデータ消去装置１００は３．５型モードに設定される。
【００５５】
一方、ユーザは動作モードが適切でないと判別すれば、動作モード選択スイッチ１１０を押下する。制御部１２１は動作モード選択スイッチ１１０が押下されると（ステップＳ２０２：Ｙ）、他方の動作モードに切り替えて動作モード表示部１０８にその内容を表示する（ステップＳ２０３）。ステップＳ２０１で３．５型モードが表示されていた場合には５．２５型モードが表示部１０８に表示される（ステップＳ２０３）。この状態で制御部１２１は動作モード選択スイッチ１１０が押下されるのを待機する（ステップＳ２０４）。そして、ユーザが再度、動作モード選択スイッチ１１０を押せば（Ｙ）、再び前回使用した動作モードが動作モード表示部１０８に表示されることになる（リターン）。
【００５６】
なお、本実施の形態のディスクメディアデータ消去装置１００では３．５型モードと５．２５型モードの２つの動作モードに適応している。装置によっては３．５型モードよりも更に半径の短いディスクメディアを消去の対象とする場合がある。この場合にはユーザが動作モード選択スイッチ１１０を押下するたびに、適応対象となった複数の動作モードを順にサイクリックに動作モード表示部１０８に表示するようにすればよい。更に、ディスクメディアの消去の方法を複数通りから選択できる場合には、サイズと消去方法の組み合わせによって動作モードを選択するようにすることもできる。動作モード選択スイッチ１１０によって動作モードを選択するようにしたのは、それぞれの動作モードによってディスクメディアの消去のための搬送機構部１１３の移動位置が異なるためである。これについては後に説明する。
【００５７】
以上のようにして、ユーザはディスクメディアデータ消去装置１００を自分が消去しようとするディスクメディアと一致した動作モードに設定したら、次にそのディスクメディアを装置本体１０１（図４）にセットする。これについては、図６〜図１０を用いて説明した。そして、蓋１０２（図４）を閉めて、スタートスイッチ１０９を押すことになる。
【００５８】
図１２は、ディスクメディアのデータ消去のための処理の様子を表わしたものである。図４および図７と共に説明する。
【００５９】
制御部１２１はユーザがスタートスイッチ１０９を押すのを待機している（ステップＳ２２１）。スタートスイッチ１０９が押されると（Ｙ）、制御部１２１は蓋検知センサ１５６が蓋１０２の閉じられている状態を検知しているかをチェックする（ステップＳ２２２）。蓋１０２が閉じられていなければ（Ｎ）、動作モード表示部１０８に「蓋を閉じてください」といエラーメッセージが表示されて（ステップＳ２３４）、処理が終了する（エンド）。この場合、ユーザは蓋１０２を閉じて、再びスタートスイッチ１０９を押せばよい。
【００６０】
一方、スタートスイッチ１０９を押した状態で蓋１０２が閉じられていることが検知された場合（ステップＳ２２２：Ｙ）、制御部１２１は図１１で選択された動作モードを消去対象のディスクメディアとして設定する（ステップＳ２２３）。そして、カラーセンサ１１５を用いて光ビームを照射すべき位置に存在するディスクメディアの色を識別する（ステップＳ２２４）。次に、制御部１２１は識別結果としてのＲ（赤）、Ｇ（緑）、Ｂ（青）の３色のレベルが動作モードデータベース１５５上に存在するかをチェックする（ステップＳ２２５）。
【００６１】
図１３は、動作モードデータベースの内容の一例を表わしたものである。動作モードデータベース１５５における「メディアの色」の欄には、Ｒ、Ｇ、Ｂの３色のレベルとその許容差が記されている。カラーセンサ１１５による識別結果が「メディアの色」の欄のいずれかの組み合わせに該当すれば（図１２ステップＳ２２５：Ｙ）、その該当する箇所における動作パラメータを光ビームの照射条件としてセットする（図１２ステップＳ２２６）。「メディアの色」とディスクメディアのサイズによって、そのディスクメディアの種類を判別して、光ビームについて適正な照射条件を設定するためである。
【００６２】
動作モードデータベース１５５（図１３）には、「メディアの色」としてＲ、Ｇ、Ｂの３色の組み合わせのいずれにも該当しない場合の光ビームの照射条件も定められている。この場合には、基本的な照射条件で消去動作を行うようにしている。したがって、カラーセンサ１１５による識別結果が「メディアの色」の欄のいずれの組み合わせにも該当しない場合には、この基本動作が照射条件として設定される（ステップＳ２２７）。
【００６３】
このようにして光ビームの照射条件と照射するディスクメディアのサイズが定められたら、該当する動作モードでデータの消去動作が開始される（ステップＳ２２８）。すなわち、まず、光ビーム照射部１１４がディスクメディアにスポット状の光ビームの照射を開始し、この後に搬送機構部１１３がディスクメディアのサイズによって定まる位置関係で移動を開始する。これと共に、メディア温度センサ１１６が照射位置の温度を測定する。また、煙検知センサ１１９はディスクメディアを原因とする煙の発生の有無を監視する。
【００６４】
図１４は、ディスクメディアが光ディスクの場合のデータの消去の際の光ビームの軌跡を表わしたものである。本実施の形態で、色から識別されたディスクメディアが光ディスク１９１であったとする。この場合、光ディスク１９１のデータ書込領域１９２の半径方向の全長を覆う形で、光ビームのスポットが矢印１９３で示すように直線状に一往復する。これにより、矢印１９３で示した箇所のデータが加熱によって破壊される。
【００６５】
光ディスク１９１には、円周に沿った形で、データが格納されている。このため、矢印１９３で示した場所以外のデータは破壊されていない。しかしながら、円周方向に記憶されたデータが所定の回転角の場所でスポット状の光ビームによって、所定幅以上破壊されている。しかも、光ビームが照射される範囲だけでなく、熱変形はメディア全体に歪みを発生させる。このため、顕微鏡を用いてもこれらの箇所のデータ状況を再現することができず、結局、光ディスク１９１のほぼすべてのデータが再現不可能となる。
【００６６】
図１５は、ディスクメディアがＣＤ−ＲＯＭメディアである場合のデータの消去の際の光ビームの軌跡を表わしたものである。本実施の形態で、色から識別されたディスクメディアがＣＤ−ＲＯＭメディア１９５であったとする。この場合、ＣＤ−ＲＯＭメディア１９５のデータ書込領域１９６の半径方向の全長を覆う形で、光ビームのスポットが曲線１９７で示すように往復するように移動する。これにより、曲線１９７で記した軌跡上のデータが加熱によって破壊される。この場合にも、図１４で示した消去の形態と同様に熱によるデータ破格とＣＤ−ＲＯＭメディア１９５の変形が生じ、ＣＤ−ＲＯＭメディア１９５のほぼすべてのデータが再現不可能となる。
【００６７】
図１２に戻って説明を続ける。図１４あるいは図１５に示した軌跡で光ビームが光ディスク１９１あるいはＣＤ−ＲＯＭメディア１９５の記録面を移動しているとき、制御部１２１はディスクメディアの温度が規定内であるかを判別する（ステップＳ２２９）。規定内の温度でなければ（Ｎ）、加熱が十分行われていないか、加熱し過ぎである。そこでこのような場合には光ビーム出力制御部１５４が光ビーム照射部１１４の出力を変更して（ステップＳ２３０）、適正な加熱が行われるようにし、ステップＳ２２９の処理に戻る。
【００６８】
また、ディスクメディアの温度が規定内である場合には（ステップＳ２２９：Ｙ）、光ビームが光ディスク１９１あるいはＣＤ−ＲＯＭメディア１９５の記録面を移動しているとき、制御部１２１は煙検知センサ１１９が煙の検知を行っていないかどうかをチェックする（ステップＳ２３１）。煙検知センサ１１９が煙の検知を行っている場合には（Ｎ）、光ビーム照射部１１４の出力が適正でも光ビームの移動速度が遅すぎることになる。そこで、この場合には搬送機構制御部１４５に搬送機構部１１３の移動速度を変更させて（ステップＳ２３２）、ステップＳ２２９の処理に戻る。煙が検知されない場合には（ステップＳ２３１：Ｙ）、このような制御がディスクメディア上での光ビームの軌跡が終了位置に到達するまで行われる（ステップＳ２３３：Ｎ）。光ビームの軌跡が終了位置まで到達したら（ステップＳ２３３：Ｙ）、ディスクメディアのデータ消去のための処理が終了する（エンド）。
【００６９】
以上説明したように本実施の形態によれば、カラーセンサ１１５を用いてディスクメディアのデータ格納領域の材質を検知するようにしたので、ユーザが特別な設定操作を行う必要なくデータの消去を実行することができる。またメディア温度センサ１１６や煙検知センサ１１９を備えることにより光ビームのスポットの出力や搬送機構部１１３の動作速度を自動的に調整することができ、各種のディスクメディアのデータの破壊の程度を一定にすることができる。
【００７０】
また、本実施の形態のディスクメディアデータ消去装置１００によれば、ディスクメディアに対して線状あるいは帯状に熱を加えてデータの破壊とメディアの変形を行う。これにより、ディスクメディア全体あるいはその比較的広い領域を塗り潰すように加熱していた従来の手法と比較すると、処理時間と電力消費の低減を図ることができる。これにより、本実施の形態のようにバッテリ１１２を用いて装置の駆動が可能になる。この結果、ディスクメディアデータ消去装置１００に電源ケーブルが不要となり、電源ケーブルを引っ掛けない場所あるいは商用電源に近い場所に装置を配置する必要がなくなるという利点がある。もちろん、実施の形態と異なり、電源として商用電源を使用することも可能であり、この場合には省電力のディスクメディアデータ消去装置を構成することができる。
【００７１】
更に本実施の形態のディスクメディアデータ消去装置１００によれば、各種サイズのディスクメディアに対してデータの消去処理が可能である。また、加熱や変形によってディスクメディアを使用できなくする手法を採っているので、フロッピー（登録商標）ディスクのようなメディアについても、そのデータを消去することができる。したがって、広範囲のディスクメディアを消去の対象とすることができる。
【００７２】
なお、本実施の形態では装置本体１０１の蓋１０２を開閉してディスクメディアのセッティングやデータ消去後の取り出しを行うことにしたが、これに限るものではない。たとえばスタックしたディスクメディアを消去位置に自動的に搬送し、消去後にこれらのディスクメディアを自動的に排出するような装置にも本発明を同様に適用することができる。
【００７３】
更に本実施の形態ではディスクメディアの複数のサイズに対応したディスクメディアデータ消去装置１００を示したが、これに限るものではない。たとえば１種類のサイズのディスクメディアを対象としたり、カートリッジタイプのものに限定した装置にも本発明を適用することができる。
【符号の説明】
【００７４】
１０、１００  ディスクメディアデータ消去装置
１１  照射手段
１２  照射位置移動手段
１３  温度検出手段
１４  移動速度制御手段
２０  ディスクメディアデータ消去方法
２１  照射ステップ
２２  照射位置移動ステップ
２３  温度検出ステップ
２４  移動速度制御ステップ
３０  ディスクメディアデータ消去プログラム
３１  照射処理
３２  照射位置移動処理
３３  温度検出処理
３４  移動速度制御処理
１０２  蓋
１１０  動作モード選択スイッチ
１１１  ディスクメディア収容部
１１２  バッテリ
１１３  搬送機構部
１１４  光ビーム照射部
１１５  カラーセンサ
１１６  メディア温度センサ
１１８  位置センサ
１１９  煙検知センサ
１２１  制御部
１３６  ５．２５型用シャッタアーム
１４１  ３．５型シャッタ開閉用ピン
１４５  搬送機構制御部
１５１  ＣＰＵ
１５２  メモリ部
１５５  動作モードデータベース
１９１  光ディスク
１９５  ＣＤ−ＲＯＭメディア
【図１】
2010262706.tif 000003
【図２】
2010262706.tif 000004
【図３】
2010262706.tif 000005
【図４】
2010262706.tif 000006
【図５】
2010262706.tif 000007
【図６】
2010262706.tif 000008
【図７】
2010262706.tif 000009
【図８】
2010262706.tif 000010
【図９】
2010262706.tif 000011
【図１０】
2010262706.tif 000012
【図１１】
2010262706.tif 000013
【図１２】
2010262706.tif 000014
【図１３】
2010262706.tif 000015
【図１４】
2010262706.tif 000016
【図１５】
2010262706.tif 000017